(57)【要約】  装置Ｄ１は、通信端末Ｔ内の、波により伝送される信号の処理のために設けられる。この装置Ｄ１は、ｉ）第１のサンプリング周波数によって、また周期的なタイムスロットの始めに同期されるようにしてアナログ入力信号のデジタルサンプルのシーケンスを一時的に記憶するメモリ手段Ｍ１と、ｉｉ）各タイムスロット中に、Ｎが厳密に１より大きいとして第１のサンプリング周波数のＮ倍に等しい第２のサンプリング周波数により、関連するタイムスロット中にメモリ手段Ｍ１に記憶されるデジタルサンプルのシーケンスのＮ個の繰り返しに相当する、伝送されるアナログ出力信号を生成して、基準シンボルレートのＮ倍に等しいシンボルレートによりアナログ信号を出力するデジタル／アナログ変換手段ＣＶ２とを含む。
2009515394.tif 000002
【特許請求の範囲】
【請求項１】
無線により伝送される信号を処理する装置（Ｄ１）であって、ｉ）第１のサンプリング周波数で、周期的なタイムスロットの始めと同期されてアナログ入力信号のデジタルサンプルのシーケンスを一時的に記憶するように構成された記憶手段（Ｍ１）と、ｉｉ）各タイムスロット中に、Ｎが厳密に１より大きい整数であるとして前記第１のサンプリング周波数のＮ倍に等しい第２のサンプリング周波数で、前記関連するタイムスロット中に前記記憶手段（Ｍ１）に記憶されたデジタルサンプルのシーケンスのＮ個の繰り返しに相当する伝送されるアナログ出力信号を生成して、前記アナログ信号を出力において基準シンボルレートのＮ倍に等しいシンボルレートで送り出すように構成されたデジタル／アナログ変換手段（ＣＶ２）とを含むことを特徴とする、装置。
【請求項２】
前記第１の周波数の基準クロック信号を前記第２の周波数の動作クロック信号に変換するように構成され、前記デジタル／アナログ変換手段（ＣＶ２）が前記第２の周波数で動作できるように該変換手段に前記動作信号を供給するクロック制御手段（ＭＣＨ）を含むことを特徴とする、請求項１に記載の装置。
【請求項３】
前記第１の周波数と前記基準シンボルレートとの比がＮより大きい場合、前記デジタル／アナログ変換手段（ＣＶ２）が、前記第１の周波数で動作しながら、Ｎ回繰り返されるデジタルシンボルの前記シーケンスのシンボルごとのサンプル数をＮ分の１に削減するように構成されていることを特徴とする、請求項１に記載の装置。
【請求項４】
前記第１の周波数の基準クロック信号を前記第１の周波数のＪ１倍に等しくかつ前記第２の周波数より低い中間の周波数の動作クロック信号に変換するように構成され、前記デジタル／アナログ変換手段（ＣＶ２）に前記動作信号を供給して前記中間の周波数で動作できるようにするクロック制御手段（ＭＣＨ）を含み、前記デジタル／アナログ変換手段（ＣＶ２）が、前記中間の周波数で動作しながら、Ｊ１＊Ｋ１＝Ｎのとき、Ｎ回繰り返されるデジタルサンプルの前記シーケンスのシンボルごとのシンボル数をＫ１分の１に削減するように構成されることを特徴とする、請求項１に記載の装置。
【請求項５】
伝送される各アナログ入力信号をサンプリングして前記第１のサンプリング周波数で、周期的なタイムスロットの始めと同期してデジタルサンプルのシーケンスを作り出し、サンプルのシーケンスを前記記憶手段（Ｍ１）に供給するように構成されたアナログ／デジタル変換手段（ＣＶ１）を含むことを特徴とする、請求項１から４のいずれか一項に記載の装置。
【請求項６】
前記アナログ入力信号の最初の周波数を、前記アナログ／デジタル変換手段（ＣＶ１）に供給する前に第２の周波数に変換するように構成された第１の周波数変換手段（ＣＦ１）と、前記アナログ出力信号の第２の周波数を前記最初の周波数に変換するように構成された第２の周波数変換手段（ＣＦ２）とを含むことを特徴とする、請求項５に記載の装置。
【請求項７】
前記第２の周波数がベースバンド周波数であることを特徴とする、請求項６に記載の装置。
【請求項８】
請求項１から７のいずれか一項に記載の信号処理装置（Ｄ１）を含むことを特徴とする、無線通信端末（Ｔ）。
【請求項９】
ｉ）Ｎが厳密に１より大きい整数であるとして、デジタルサンプルのシーケンスのＮ個の繰り返しに相当するアナログ入力信号をサンプリングして、第４のサンプリング周波数のＮ倍に等しい第３のサンプリング周波数で、周期的なタイムスロットの始めと同期してデジタルサンプルのＮ個の同一のシーケンスを作り出すように構成されたアナログ／デジタル変換手段（ＣＶ３）と、ｉｉ）各タイムスロット中に前記アナログ／デジタル変換手段（ＣＶ３）により送られたデジタルサンプルのＮ個の同一のシーケンスを一時的に記憶するように構成された記憶手段（Ｍ２）と、ｉｉｉ）各タイムスロット中に前記記憶手段（Ｍ２）に記憶されたデジタルサンプルのＮ個の同一のシーケンスを同相で結合して、結合されたデジタルサンプルのシーケンスを基準シンボルレートで送り出すように構成された結合手段（ＣＢ）とを含むことを特徴とする、請求項１から７のいずれか一項に記載の信号処理装置（Ｄ１）から来るアナログ信号を処理する装置（Ｄ２）。
【請求項１０】
前記結合手段（ＣＢ）が、デジタルサンプルのＮ個の同一のシーケンス間の相対位相差を推定するように構成された推定手段（ＭＥＤ）と、前記推定された位相差を補正して、Ｎ個の同一の補正したシーケンスを送り出すように構成された補正手段（ＭＣＤ）と、前記補正されたＮ個の同一のシーケンスを合計して、前記結合されたデジタルサンプルのシーケンスを送り出すように構成された合計手段（ＭＳ）とを含むことを特徴とする、請求項９に記載の装置。
【請求項１１】
前記第４の周波数の基準クロック信号を前記第３の周波数の動作クロック信号に変換するように構成され、前記アナログ／デジタル変換手段（ＣＶ３）が前記第４の周波数で動作できるように該変換手段に前記動作信号を供給するクロック制御手段（ＭＣＨ’）を含むことを特徴とする、請求項９または１０のいずれかに記載の装置。
【請求項１２】
前記第４の周波数と前記基準シンボルレートとの比がＮより大きい場合、前記アナログ／デジタル変換手段（ＣＶ３）が、前記第４の周波数で動作しながら、デジタルサンプルの前記Ｎ個の同一のシーケンスのシンボルごとのサンプル数をＮ分の１に削減するように構成されていることを特徴とする、請求項９または１０のいずれかに記載の装置。
【請求項１３】
前記第４の周波数の基準クロック信号を、前記第４の周波数のＪ２倍に等しくかつ前記第３の周波数より低い中間の周波数の動作クロック信号に変換するように構成され、前記アナログ／デジタル変換手段（ＣＶ３）が前記中間の周波数で動作することができるように前記動作信号を該変換手段に供給するクロック制御手段（ＭＣＨ’）を含み、前記アナログ／デジタル変換手段（ＣＶ３）が、前記中間の周波数で動作しながら、Ｊ２＊Ｋ２＝Ｎのとき、デジタルサンプルの前記Ｎ個の同一のシーケンスのシンボルごとのサンプル数をＫ２分の１に削減するように構成されていることを特徴とする、請求項９または１０のいずれかに記載の装置。
【請求項１４】
各タイムスロット中に、前記第４のサンプリング周波数で、前記結合されたデジタルサンプルのシーケンスに相当するアナログ出力信号を生成するように構成されたデジタル／アナログ変換手段（ＣＶ４）を含むことを特徴とする、請求項９から１３のいずれか一項に記載の装置。
【請求項１５】
前記アナログ入力信号の最初の周波数を、前記アナログ／デジタル変換手段（ＣＶ３）に供給する前に第２の周波数に変換するように構成された第１の周波数変換手段（ＣＦ３）と、前記アナログ出力信号の第２の周波数を前記最初の周波数に変換するように構成された第２の周波数変換手段（ＣＦ４）とを含むことを特徴とする、請求項１４に記載の装置。
【請求項１６】
前記第２の周波数がベースバンドであることを特徴とする、請求項１５に記載の装置。
【請求項１７】
前記アナログ／デジタル変換手段（ＣＶ３）と前記記憶手段（Ｍ２）との間に挿入され、様々な数（Ｎｉ）の値の繰り返しに関連した様々なキャリア（Ｐｉ）上に入力信号がある場合、関連するキャリアに応じてシーケンスの繰り返しを逆多重化するように構成された逆多重化手段（ＤＭ）を含むことと、前記記憶手段（Ｍ２）が、各々前記キャリア（Ｐｉ）の１つと関連し、それぞれに対応する逆多重化されたシーケンスの繰り返しを記憶するように構成された記憶モジュール（ＭＭｉ）からなることと、前記結合手段（ＣＢ）が、各々前記キャリア（Ｐｉ）の１つと関連し、各タイムスロット中に、各々が対応する記憶モジュール（ＭＭｉ）に記憶されたデジタルサンプルの同一のシーケンスの繰り返しを同相で結合して前記基準シンボルレートで結合されたデジタルサンプルのシーケンスを送り出すように構成された結合モジュール（ＭＣＢｉ）からなることと、前記結合モジュール（ＭＣＢｉ）の下流に、前記結合モジュール（ＭＣＢｉ）により送り出された結合されたデジタルサンプルのシーケンスを多重化してシーケンスの多重信号を送信するように構成された多重化手段（ＭＲ）を含むこととを特徴とする、請求項９から１６のいずれか一項に記載の装置。
【請求項１８】
請求項９から１７のいずれか一項に記載の信号処理装置（Ｄ２）を含むことを特徴とする、無線により伝送される信号の復調器（ＤＲ）。
【請求項１９】
ＤＶＢ−ＲＣＳ方式の衛星通信用の信号処理装置（Ｄ１、Ｄ２）、無線通信端末（Ｔ）、および信号復調器（ＤＲ）の使用法。
【発明の詳細な説明】
【技術分野】
【０００１】
本発明は、通信ネットワーク、より詳細には通信端末間の無線通信に関する。
【背景技術】
【０００２】
本明細書で「通信端末」とは、場合により１つまたは複数の通信衛星を経由し、別の機器と無線通信により信号の形態でデータを交換することができる固定型または移動型（すなわち携帯型）の無線通信機器のことである。したがって、例えば地上通信局（場合により衛星型）、衛星ゲートウェイ（またはハブ）、個々のもしくは集合的な送信／受信端末、または場合により衛星型の固定もしくは携帯コンピュータの問題となりうる。
【０００３】
ある種の通信端末（場合により衛星型）、例えば、適宜集合的に使用できる、自動車（バス、長距離バス、トラック、乗用車）、列車、航空機、または船などの輸送手段に取り付けられる通信端末は、送信／受信アンテナを有し、その寸法は、一定の使用上の制約がある場合に問題となる可能性がある。
【０００４】
したがって、Ｋｕバンド（１２から１８ＧＨｚ）で動作できるように、送信／受信アンテナは、最大軸の寸法を６０から７０ｃｍにすることが提案されてきた。同時に、ＥＴＳＩ（欧州電気通信標準化機構）およびＦＣＣ（米連邦通信委員会）などの国際標準化機構は、衛星が受信する干渉レベルを制限するために近くの衛星への軸外パワースペクトル密度に制限を課している。この制限は、アンテナのメインローブの軸外角度（θ）と、同時に同じ周波数帯域（全負荷）で送信しているすべての端末の総パワー密度と単一の通信端末のパワー密度との比（Ｋ）とを含む状況によって定められる。ＣＤＭＡ方式の送信の場合、Ｋは同時に存在するユーザの数であるのに対し、ＭＦ−ＴＤＭＡ方式の送信の場合、Ｋは１に相当するということに留意されたい。
【０００５】
例えばＤＶＢ−ＲＣＳ（Ｄｉｇｉｔａｌ  Ｖｉｄｅｏ  Ｂｒｏａｄｃａｓｔｉｎｇ−Ｒｅｔｒｕｎ  Ｃｈａｎｎｅｌ  ｂｙ  Ｓａｔｅｌｌｉｔｅ）衛星通信があるなど一定の状況下では、６０から７０ｃｍのアンテナを装備された通信端末は、軸外パワースペクトル密度が上述の制限を定める状況によって認められる密度より高くなることがわかる。そこで、使用されるパワースペクトル密度を１０分の１に削減する必要がある。
【０００６】
パワースペクトル密度を削減する標準的な解決法は、希望信号に例えば擬似ランダム型のシーケンスを掛け合わせ、シンボルタイミングレート（またはチップタイミングレート）がペイロードシンボルタイミングレートより高くなる直接拡散法を用いることである。残念ながら、この解決法には少なくとも３つの欠点がある。すなわち、前述の乗算を行うことができるように通信端末の変更を必要とし、例えば新しいシンボルタイミングを復調することができるように、（場合により衛星型の）通信ゲートウェイに取り付けられている復調器の変更を必要とし、さらに信号を逆拡散するために、受信時に符号の同期を必要とし、これはシンボル（またはチップ）の断片の順番の時間的正確さを要求する。
【０００７】
別の解決法は、ＤＶＢ−ＲＣＳ規格の最小符号の冗長（１／２に相当）より大きい１／Ｎの冗長を有するＦＥＣ符号を用いる。この解決法は、Ｅｓ／Ｎ０比（１つのシンボルのエネルギー／雑音パワースペクトル密度）および結果としてパワースペクトル密度を減少させる。残念ながら、この解決法にも少なくとも３つの欠点がある。すなわち、ＤＶＢ−ＲＣＳ規格より低いシンボルタイミングレートを使用することができるように、通信端末の変更を必要とし、通信ゲートウェイ（場合により衛星型）に取り付けられた復調器を、例えば新しい符号化タイミングレートを復号できるように変更する必要があり、さらに受信復調のしきい値のためにＥｓ／Ｎ０比が考えられる限界となり、その結果このしきい値を上げるために復調器のアルゴリズムを変更することになる。
【発明の開示】
【発明が解決しようとする課題】
【０００８】
知られているいかなる解決法も、全く満足のいくものではないので、本発明の目的は、この状況を向上させることである。
【課題を解決するための手段】
【０００９】
この目的のために、本発明は、無線で伝送される信号の処理に専用の第１の装置（または拡散装置）であって、
第１のサンプリング周波数で周期的なタイムスロットの始めと同期してアナログ入力信号のデジタルサンプルのシーケンスを一時的に記憶する役割を担う記憶手段と、
各タイムスロット中に、Ｎが厳密に１より大きい整数であるとして第１のサンプリング周波数のＮ倍に等しい第２のサンプリング周波数で、関連するタイムスロット中に記憶手段に記憶されたデジタルサンプルのシーケンスのＮ個の繰り返しに相当する、伝送されるアナログ出力信号を生成して、アナログ信号を出力で基準シンボルレートのＮ倍に等しいシンボルレートで送り出すようにする役割を担うデジタル／アナログ変換手段とを含む第１の装置を提案する。
【００１０】
本発明による第１の装置（または拡散装置）は、他の特徴を、詳細には以下の特徴を単独にまたは組み合わせて有することができる。
クロック制御手段が、第１の周波数の基準クロック信号を第２の周波数の動作クロック信号に変換し、デジタル／アナログ変換手段が第２の周波数で動作することができるようにこの変換手段に動作信号を供給する役割を担うことができる。
第１の変形において、第１の周波数と基準シンボルレートとの間の比がＮより大きい場合、デジタル／アナログ変換手段は、第１の周波数で動作しながら、Ｎ回繰り返されるデジタルシンボルのシーケンスのシンボルごとのサンプル数をＮ分の１に削減する役割を担うことができる。
第２の変形において、第１の周波数の基準クロック信号を、第１の周波数のＪ１倍に等しく、第２の周波数より小さい中間周波数の動作クロック信号に変換し、デジタル／アナログ変換手段が中間周波数で動作することができるようにこの変換手段に動作信号を供給する役割を担うクロック制御手段を含むことができる。この場合、デジタル／アナログ変換手段は、中間周波数で動作しながら、Ｊ１＊Ｋ１＝Ｎのとき、Ｎ回繰り返されるデジタルサンプルのシーケンスのシンボルごとのシンボル数をＫ１分の１に削減する役割を担う。
アナログ／デジタル変換手段は、第１のサンプリング周波数で、周期的なタイムスロットの開始と同期してデジタルサンプルのシーケンスを作り出すために、（伝送される）アナログ入力信号をサンプリングする役割を担うことができる。
一方では、アナログ／デジタル変換手段に供給する前に、アナログ入力信号の「最初」の周波数を「第２の」周波数に変換する役割を担う第１の周波数変換手段を、他方では、アナログ出力信号の第２の周波数を最初の周波数に変換する役割を担う第２の周波数変換手段を含むこともできる。
【００１１】
本発明はまた、上述したタイプの第１の信号処理装置（または拡散装置）を装備した無線通信端末を提案する。
【００１２】
本発明はさらに、信号処理装置から来るアナログ信号を処理するための装置を提案し、
Ｎが厳密に１より大きい整数であるとして、アナログ入力信号をサンプリングしてデジタルサンプルのシーケンスのＮ個の繰り返しを表し、第４のサンプリング周波数のＮ倍に等しい第３のサンプリング周波数で、周期的なタイムスロットの開始と同期してデジタルサンプルのＮ個の同一のシーケンスを作り出す役割を担うアナログ／デジタル変換手段と、
各タイムスロット中にアナログ／デジタル変換手段により送り出されたデジタルサンプルのＮ個の同一のシーケンスを一時的に記憶する役割を担う記憶手段と、
記憶手段に記憶されたデジタルサンプルのＮ個の同一のシーケンスを各タイムスロット中に同相で結合して、基準シンボルレートで結合されたデジタルサンプルのシーケンスを送り出すようにする役割を担う結合手段とを含む。
【００１３】
本発明による第２の装置（または逆拡散装置）は、他の特徴を、詳細には以下の特徴を単独にまたは組み合わせて有することができる。
その結合手段が、デジタルサンプルのＮ個の同一のシーケンス間の相対位相差を推定する役割を担う推定手段と、推定された位相差を補正して、Ｎ個の同一の補正されたシーケンスを送るようにする役割を担う補正手段と、Ｎ個の同一の補正されたシーケンスを合計して、結合されたデジタルサンプルのシーケンスを送るようにする役割を担う合計手段とを含むことができる。
クロック制御手段が、第４の周波数の基準クロック信号を第３の周波数の動作クロック信号に変換し、アナログ／デジタル変換手段が第４の周波数で動作することができるように、この変換手段に動作信号を供給する役割を担うことができる。
第１の変形において、第４の周波数と基準シンボルレートとの間にＮより大きい比がある場合、アナログ／デジタル変換手段は、第４の周波数で動作しながら、デジタルサンプルのＮ個の同一のシーケンスのシンボルごとのサンプル数をＮ分の１に削減する役割を担うことができる。
第２の変形では、第４の周波数の基準クロック信号を、第４の周波数のＪ２倍に等しく、第３の周波数より低い中間の周波数の動作クロック信号に変換し、アナログ／デジタル変換手段に動作信号を供給して、この変換手段が中間の周波数で動作することができるようにする役割を担うクロック制御手段を含むことができる。この場合、アナログ／デジタル変換手段は、中間の周波数で動作しながら、Ｊ２＊Ｋ２＝Ｎのとき、デジタルサンプルのＮ個の同一のシーケンスのシンボルごとのサンプル数をＫ２分の１に削減する役割を担う。
デジタル／アナログ変換手段が、各タイムスロット中に第４のサンプリング周波数で、結合されたデジタルサンプルのシーケンスに相当するアナログ出力信号を生成する役割を担う。
一方では、第１の周波数変換手段が、アナログ入力信号の「最初の」周波数を、アナログ／デジタル変換手段に供給する前に「第２の」周波数に変換する役割を担い、第２の周波数変換手段が、アナログ出力信号の第２の周波数を最初の周波数に変換する役割を担う。
逆多重化手段がアナログ／デジタル変換手段と記憶手段との間に挿入され、繰り返し（またはコピー）の様々な数に関連する様々なキャリア上に入力信号があると、関連するキャリアに応じてシーケンスの繰り返しを逆多重化する役割を担う。この場合、記憶手段は、各々がキャリアの１つと関連し、それぞれ対応する逆多重化されたシーケンスの繰り返しを記憶する役割を担う記憶モジュールで構成されることが可能であり、結合手段は、各々がキャリアの１つと関連し、各タイムスロット中に対応する記憶モジュールに記憶されたデジタルサンプルの同一のシーケンスの繰り返しを同相で結合して、基準シンボルレートでデジタルサンプルの結合されたシーケンスを送るようにする役割を担う結合モジュールで構成されることが可能である。さらにこれは結合モジュールの下流に多重化手段を含み、（結合モジュールにより送られた）結合されたデジタルサンプルのシーケンスを多重化して、シーケンスの多重信号を送るようにする役割を担う。
【００１４】
また本発明は、上述したタイプの第２の信号処理装置（または逆拡散装置）を装備した、無線（場合によりマルチキャリア方式）により伝送される信号の復調器を提案する。
【００１５】
本発明は、具体的にはＤＶＢ−ＲＣＳ（Ｄｉｇｉｔａｌ  Ｖｉｄｅｏ  Ｂｒｏａｄｃａｓｔｉｎｇ  −  Ｒｅｔｕｒｎ  Ｃｈａｎｎｅｌ  ｂｙ  Ｓａｔｅｌｌｉｔｅ）方式の衛星通信に特によく適応するが、これに限定されない。
【発明を実施するための最良の形態】
【００１６】
本発明の他の特徴および利点は、次の詳細な説明を読み、添付の図面を調べると明らかになるであろう。
【００１７】
添付の図面は、本発明の説明の一部を構成すると同時に、必要な場合は本発明を明確にするのに役立つ。
【００１８】
本発明の目的は、通信端末の送信／受信アンテナのサイズおよび軸外パワースペクトル密度の制限に関する制約がある場合に通信端末がアナログ信号（データのバーストに相当する）を伝送することである。
【００１９】
以下限定されない例として、通信は、「戻り」チャネルで、すなわち（無線）通信端末と衛星ゲートウェイとの間で衛星ネットワークの少なくとも１つの通信衛星を経由し、ＤＶＢ−ＲＣＳ（ＭＦ−ＴＤＭＡ方式）規格に従って行われるとみなす。ＤＶＢ規格の場合は、戻りチャネル上の（データのバーストの）流れは、ＤＶＢ−ＲＣＳ規格に従って変調され、「送り（ｇｏ）」チャネル上（すなわち通信衛星を経由した衛星ゲートウェイと端末との間）の流れは、（ＴＤＭ方式）ＤＶＢ−Ｓ２規格に従って変調されることに留意されたい。言い換えれば、通信端末はＤＶＢ−ＲＣＳで送信し、ＤＶＢ−Ｓ２で受信し、一方衛星ゲートウェイはＤＶＢ−Ｓ２で送信し、ＤＶＢ−ＲＣＳで受信する。
【００２０】
本発明は、当然ながらＤＶＢ−ＲＣＳ規格に従っている通信に限定されない。通信端末が、その送信／受信アンテナの寸法および軸外パワースペクトル密度の制限に関する制約がある場合に、無線によりデータのバーストを別の通信機器に送信しなければならないあらゆる状況に関する。
【００２１】
まず図１を参照して、本発明による、伝送される信号を処理する第１の装置（または拡散装置）Ｄ１の第１の実施形態について説明する。
【００２２】
本発明によれば、第１の装置Ｄ１は、少なくとも１つの記憶モジュールＭ１と、１つのデジタル／アナログ変換モジュールＣＶ２とを含む。
【００２３】
記憶モジュールＭ１は、第１のサンプリング周波数Ｆｅ１で周期的なタイムスロットの始めと同期され、各タイムスロットの始めで後に入力シーケンスとして参照されるアナログ信号のデジタルサンプルのシーケンスを一時的に記憶する役割を担う。
【００２４】
デジタルサンプルの各シーケンスは、例えば通信端末Ｔの変調器ＭＲ（ここではＤＶＢ−ＲＣＳ方式）のアナログ／デジタル変換モジュールＣＶ１により供給される。
【００２５】
通信端末Ｔは、例えば列車に取り付けられた、衛星、集合型の送信／受信端末である。しかしながら、これは、場合により１つまたは複数の通信衛星を介して別の機器と無線により信号の形態のデータを交換することができる固定式または移動式（もしくは携帯式）のあらゆる無線通信機器、例えば地上通信局（場合により衛星型）、衛星ゲートウェイ（またはハブ）、または場合によっては衛星型の固定もしくは携帯コンピュータなどの問題となりうる。
【００２６】
図１に示した例では、第１の装置Ｄ１は、通信端末Ｔに、より詳細にはその変調器ＭＲのアナログ／デジタル変換モジュールＣＶ１の出力に取り付けられている。しかしながら、後で明らかになるように、これは変調器ＭＲのアナログ／デジタル変換モジュールＣＶ１の出力に接続され、変調器ＭＲの中に取り付けられる、または端末Ｔの外にあることが可能である。
【００２７】
変調器ＭＲは、第１の周波数Ｆｅ１のクロック信号を使用する。この変調器のアナログ／デジタル変換モジュールＣＶ１は、各アナログ入力信号をサンプリングしてデジタルサンプルのシーケンスを作り出す。このサンプリングは、第１のサンプリング周波数Ｆｅ１で行われ、各周期的なタイムスロットの始めと同期される。結果として、アナログ／デジタルモジュールＣＶ１は、各タイムスロット中にＦｅ１／ＲＳ＞１となるような基準シンボルタイミングレートＲＳで、受信したバーストに相当するデジタルサンプルのシーケンスを送り出す。
【００２８】
アナログ入力信号は、データのバーストに相当し、図２Ａの下部のように図示されることが可能である。図のように、バーストに相当する各信号は、持続時間Ｔｓ（ｔは時間を表す）のタイムスロットに位置付けられた持続時間Ｔｂのパケットの形をとる。
【００２９】
変調器ＭＲの出力におけるパワースペクトル密度Ｄｉは、マルチキャリアスペクトルの場合、周波数ｆに応じて、図２Ａの上部に示す。スペクトルは必ずしも周期的ではないことに注意することが重要である。スペクトルは、実際には様々なデータレートを有するキャリアである可能性がある。このパワースペクトル密度Ｄｉは、αがロールオフ（利得変化）パラメータであるとき、式ＢＷｉ＝（１＋α）＊ＲＳで定められる帯域幅ＢＷｉを占める信号の形をとる。
【００３０】
記憶モジュールＭ１がアナログ／デジタル変換モジュールＣＶ１により送り出された各シーケンスを記憶できるように、その大きさは、少なくともＦｅ１＊ＴＳに等しくなければならず、シーケンスのシンボルを記憶モジュールＭ１に書き込む周波数は、Ｆｅ１に等しくなければならない。記憶モジュールＭ１は、例えばバッファの形をとる。
【００３１】
デジタル／アナログ変換モジュールＣＶ２は、関連するタイムスロット中に記憶モジュールＭ１に記憶されるデジタルサンプルのシーケンスのＮ個の繰り返し（またはコピー）に相当する（伝送される）アナログ出力信号を、各タイムスロットで生成する役割を担う。Ｎは、厳密に１より大きい整数であり（Ｎ＞１）、以下、拡散率（ｆａｃｔｅｕｒ  ｄ’ｅｔａｌｅｍｅｎｔ）と呼ぶ。この生成は、第１のサンプリング周波数のＮ倍に等しい第２のサンプリング周波数Ｆｅ２（Ｆｅ２＝Ｎ＊Ｆｅ１）で行われる。したがって、デジタル／アナログ変換モジュールＣＶ２は、各タイムスロット中にその出力において、基準シンボルレートＲＳのＮ倍に等しいシンボル（またはチップ）レートＲＣ（ＲＣ＝Ｎ＊ＲＳ）でアナログ信号を送り出す。
【００３２】
言い換えれば、図２Ｂの下部に示すように、デジタル／アナログ変換モジュールＣＶ２は、各タイムスロットの出力で、該タイムスロット中に記憶モジュールＭ１に記憶されるシーケンスのデジタルシンボルのＮ個のアナログコピー（または繰り返し）を送り出す。この例では、Ｎは４（４）に等しい。しかしながら、上述のように、拡散率Ｎは、厳密に１（１）より大きいあらゆる整数値をとることができる。
【００３３】
このために、デジタル／アナログ変換モジュールＣＶ２は、記憶モジュールＭ１の内容を例えばＮ回読み取り、読み取ったデジタルサンプルのシーケンスのデジタル／アナログ変換を各タイムスロットでＮ回実行することができる。この場合、読み取り周波数Ｆｒは、第１のサンプリング周波数Ｆｅ１のＮ倍に等しい（Ｆｒ＝Ｎ＊Ｆｅ１）。
【００３４】
デジタル／アナログ変換モジュールＣＶ２の出力におけるパワースペクトル密度Ｄｏは、周波数ｆに応じて図２Ｂの上部に示されている。拡散率Ｎによる拡散のため、パワースペクトル密度はＤｉ／Ｎに等しい（Ｄｏ＝Ｄｉ／Ｎ）。これは、式ＢＷｏ＝Ｎ＊ＢＷｉ＝Ｎ＊（１＋α）＊ＲＳにより定められる帯域幅ＢＷｏを占める信号の形をとる。
【００３５】
したがって本発明は、タイムスロットに最初に含まれているバーストの基準シンボルレートＲＳを、選択したＮ倍に「人為的に」増大させると同時に、占有帯域幅のＮ倍の増加を促す。パワースペクトル密度を削減するために各バーストのパワーは同じままでなければならないので、比Ｅｓ／Ｎ０はＮ分の１に削減される。比Ｅｓ／Ｎ０が公称値に戻るように、本発明は各タイムスロット中に各バーストをＮ回繰り返す。受信では、図７、９Ａ、および９Ｂを参照して以下に説明するように、各タイムスロットで受信したＮ個のコピー（または繰り返し）を依然として単に（再）結合して、対応する最初のバースト（パケット）を回復させる。
【００３６】
第１の装置Ｄ１が基準シンボルタイミングレートＲＳをＮ倍に人為的に増大させることができるように、いくつかの解決法を想定することができる。
【００３７】
第１の解決法は、デジタル信号をＮ分の１に「大幅に削減する」。このために、第１の装置Ｄ１のデジタル／アナログ変換モジュールＣＶ２は、比Ｆｅ１／ＲＳがＮより大きい場合（オーバーサンプリング）、（基準クロックにより供給される）第１の周波数Ｆｅ１で動作しながら、Ｎ回繰り返されるデジタルサンプルのシーケンスのシンボルごとのサンプル数をＮ分の１に削減する（これは「デシメーション」として知られている）ことができる。
【００３８】
第２の解決法は、デジタル／アナログ変換器ＣＶ２のクロックの第１の周波数Ｆｅ１を増大させる。このために、図３に示すように、第１の装置Ｄ１は、変調器ＭＲからの第１の周波数Ｆｅ１の基準クロック信号を、第１の周波数Ｆｅ１のＮ倍に等しい第２の周波数Ｆｅ２（Ｆｅ２＝Ｎ＊Ｆｅ１）の動作クロック信号として変換する役割を担うクロック制御モジュールＭＣＨを含むことができる。このクロック制御モジュールＭＣＨは、次にデジタル／アナログ変換モジュールＣＶ２に動作クロック信号を供給し、第２の周波数Ｆｅ２で直接動作できるようにする。
【００３９】
第３の解決法は、デジタル／アナログ変換モジュールＣＶ２に使用されるクロック周波数を、クロック制御モジュールＭＣＨを用いてｊ１倍に増大させ（Ｆｅ１→Ｆｅ’１）、デジタル／アナログ変換モジュールＣＶ２においてｊ１＊ｋ１＝Ｎのときデジタル信号をｋ１分の１に大幅に削減することによって先の２つの解決法を組み合わせ、見かけ上の変調速度（または周波数）ＲＣがＮ＊ＲＳに等しくなるようにする。これには、Ｆｅ’１＝ｋ１＊Ｆｅ１、Ｆｅ’１＜ＲＣとなる必要がある。これらの定義および条件を用いると、第１の解決法は、ｊ１＝１（Ｆｅ’１＝Ｆｅ１）、ｋ１＝Ｎの場合に相当し、第２の解決法は、ｊ１＝Ｎ（Ｆｅ’１＝Ｎ＊Ｆｅ１＝Ｆｅ２）、ｋ１＝１の場合に相当する。
【００４０】
図１に示すように、第１の装置（または拡散装置Ｄ１）は、そのデジタル／アナログ変換モジュールＣＶ２の下流に置かれた第２の周波数変換モジュールＣＦ２を含むこともできる。アナログ／デジタル変換モジュールＣＶ１が、（アナログ／デジタル変換モジュールＣＶ１の上流側にある）変調器ＭＲの（第１の）周波数変換モジュールＣＦ１を用いて「最初の」周波数Ｆ１を「第２の」周波数Ｆ２に変換することによって生じるアナログ入力信号を受信する場合は、このような（第２の）周波数変換モジュールＣＦ２を設けなければならない。この第２の周波数は、例えばベースバンド周波数である。
【００４１】
第２の周波数変換モジュールＣＦ２は次に、各アナログ出力信号が含み、デジタル／アナログ変換モジュールＣＶ２によって送り出される第２の周波数を、送信される前に第１のシーケンスＦ１に変換する役割を担う。
【００４２】
以上、端末Ｔの一部を形成し、変換器ＭＲのアナログ／デジタル変換モジュールＣＶ１の出力につながれた第１の装置Ｄ１の一実施形態が説明されている。しかしながら、いくつかの変形形態が想定される。
【００４３】
したがって、図４に示すように、第１の装置Ｄ１は、変調器ＭＲの一部であることが可能である。ここで第１の装置Ｄ１は、アナログ／デジタル変換モジュールＣＶ１の出力につながれたメモリＭ１と、デジタル／アナログ変換モジュールＣＶ２とを含む。第１の装置はさらに、第２の周波数変換モジュールＣＦ２を含むことができる。
【００４４】
図５に示すように、第１の装置Ｄ１はやはり変調器ＭＲの一部であるが、アナログ／デジタル変換モジュールＣＶ１と、メモリＭ１と、デジタル／アナログ変換モジュールＣＶ２とを含み、適宜第１および第２の周波数変換モジュールＣＦ１およびＣＦ２を含む。
【００４５】
図６に示すように、第１の装置Ｄ１は変調器ＭＲ（アナログ／デジタル変換モジュールＣＶ１と、適宜第１の周波数変換モジュールＣＦ１とを含んでいる）の外にあることもある。このとき第１の装置は、出力変調器ＭＲに、より詳細にはアナログ／デジタル変換モジュールＣＶ１の出力につながれたメモリＭ１と、デジタル／アナログ変換モジュールＣＶ２とを含む。第１の装置はまた、第２の周波数変換モジュールＣＦ２を含むことがある。
【００４６】
次に図７を参照して、本発明による第１の装置Ｄ１からのアナログ信号を処理するために設けられた、本発明による第２の装置（または逆拡散装置）Ｄ２の第１の実施形態について説明する。以下（アナログ）入力信号と呼ぶ、タイムスロット内で受信された各信号は、したがってデジタルサンプルのシーケンスのＮ個の繰り返し（またはコピー）に相当する。Ｎは、上述の拡散率と同じ拡散率である（Ｎは厳密に１より大きい整数である）。
【００４７】
この例では、第２の装置Ｄ２は、ここではＤＶＢ−ＲＣＳ方式のキャリア復調器ＤＲに組み込まれており、キャリア復調器自体は通信機器Ｒに組み込まれている。この場合、第２の装置Ｄ２は、そのキャリア復調器ＤＲにより処理される（逆拡散される）アナログ信号を与えられる。しかしながら、後でわかるように、第２の装置Ｄ２はキャリア復調器ＤＲの外部にあって、その入力につながれていることもある。この場合、通信機器Ｒの受信部は、処理される（逆拡散される）アナログ信号を第２の装置Ｄ２の入力に供給し、第２の装置の出力は、キャリア復調器ＤＲの入力に供給する。
【００４８】
本明細書で考える通信機器Ｒは、衛星通信ゲートウェイ（またはハブ）である。しかし、適宜１つまたは複数の通信衛星を経由して、無線により別の機器と信号の形でデータを交換することができるどんな固定式または移動式（もしくは携帯式）無線通信機器であってもよく、例えば個々のまたは集合的な送信／受信端末（場合により衛星型）、地上通信局（場合により衛星型）または場合により衛星型の固定もしくは携帯コンピュータなどであってもよい。
【００４９】
本発明によれば、第２の装置Ｄ２は、少なくとも１つのアナログ／デジタル変換モジュールＣＶ３と、記憶手段Ｍ２と、結合手段ＣＢとを含む。
【００５０】
アナログ／デジタル変換モジュールＣＶ３は、各々がデジタルサンプルのシーケンスのＮ個の繰り返し（またはコピー）に相当するアナログ入力信号を送り込まれる。これらのアナログ入力信号は、マルチキャリアスペクトルの場合を図９Ａの下部に示している。図のように、持続時間ＴＳの各タイムスロットは、最初のパケット（拡散前）のＮ個のコピー（または繰り返し）に相当するＮ個の入力信号を含み、各コピーはＴｂ／Ｎに等しい持続時間Ｔｂ’のバーストの形をとる（ｔは時間を表す）。
【００５１】
第２の装置Ｄ２の入力におけるパワースペクトル密度Ｄｉ’は、マルチキャリアスペクトルの場合、周波数ｆに応じて図９Ａの上部に示す。これは、式ＢＷｉ’＝Ｎ＊（１＋α）＊ＲＳにより定められる帯域幅ＢＷｉ’を占める信号の形をとる。
【００５２】
アナログ／デジタル変換モジュールＣＶ３は、デジタルサンプル（同一であるとみなす）のＮ個のシーケンスの各タイムスロットで受信したＮ個のアナログ入力信号（またはバースト）をサンプリングする役割を担う。このサンプリングは、第４のサンプリング周波数Ｆｅ４のＮ倍に等しい第３のサンプリング周波数Ｆｅ３で、各周期的なタイムスロットの始めと同期して行われる。その結果、アナログ／デジタル変換モジュールＣＶ３は、各タイムスロットで同じパケットに相当するデジタルサンプルのＮ個のシーケンスを送り出す。
【００５３】
第２の装置Ｄ２が各タイムスロット中にデジタルサンプルのＮ個の同一のシーケンスを送り出すことができるいくつかの解決法を想定することができる。より具体的には、これらの解決法は、アナログ／デジタル変換モジュールＣＶ３の動作シンボルレートが、基準（非拡散）シンボルレートＲＳと比較してＮ倍に増大することができるように意図されている。
【００５４】
アナログ／デジタル変換モジュールＣＶ３により使用されるサンプリングクロックは、入ってくる拡散信号の帯域幅に適合するものでなければならないということに注意することが重要である。
【００５５】
第１の解決法は、デジタル信号をＮ分の１に大幅に削減することである。このために、第２の装置Ｄ２のアナログ／デジタル変換モジュールＣＶ３は、比Ｆｅ４／ＲＳがＮより大きい場合（オーバーサンプリング）、（基準クロックにより供給される）第４の周波数Ｆｅ４で動作しながら、デジタルサンプルのＮ個の同一のシーケンスのシンボルごとのサンプル数をＮ分の１に削減する（デシメーション）。
【００５６】
第２の解決法は、アナログ／デジタル変換モジュールＣＶ３のクロックの第４の周波数Ｆｅ４を増大させることである。このために、図８に示すように、第２の装置Ｄ２は、復調器ＤＭの第４の周波数Ｆｅ４の基準クロック信号を、第４の周波数Ｆｅ４のＮ倍に等しい第３の周波数Ｆｅ３（Ｆｅ３＝Ｎ＊Ｆｅ４）の動作クロック信号に変換する役割を担うクロック制御モジュールＭＣＨ’を含むことができる。このクロック制御モジュールＭＣＨ’は、次にアナログ／デジタル変換モジュールＣＶ３が直接第３の周波数Ｆｅ３で動作できるようにこのモジュールＣＶ３に動作クロック信号を供給する。
【００５７】
第３の解決法は、アナログ／デジタル変換モジュールＣＶ３に使用されるクロック周波数を、クロック制御モジュールＭＣＨ’を用いてｊ２倍に増大させ（Ｆｅ４→Ｆｅ’４）、アナログ／デジタル変換モジュールＣＶ３においてｊ２＊ｋ２＝Ｎのときデジタル信号をｋ２分の１に大幅に削減することによって先の２つの解決法を組み合わせ、見かけ上の変調速度（または周波数）ＲＣがＮ＊ＲＳに等しくなるようにする。これには、Ｆｅ’４＝ｋ２＊Ｆｅ４、Ｆｅ’４＜ＲＣとなる必要がある。これらの定義および条件を用いると、第１の解決法は、ｊ２＝１（Ｆｅ’４＝Ｆｅ４）、ｋ２＝Ｎの場合に相当し、第２の解決法は、ｊ２＝Ｎ（Ｆｅ’４＝Ｎ＊Ｆｅ４＝Ｆｅ３）、ｋ２＝１の場合に相当する。
【００５８】
記憶手段Ｍ２は、各タイムスロットの始まりで、前のタイムスロット中にアナログ／デジタル変換モジュールＣＶ３により送り出されたデジタルサンプルのＮ個の同一のシーケンスを一時的に記憶する役割を担う。このために、記憶手段Ｍ２のサイズは、少なくともＮ＊Ｆｅ４＊ＴＳでなければならず、シーケンスのシンボルを記憶手段Ｍ２に書き込む速度は、Ｎ＊Ｆｅ４に等しくなければならない。記憶手段Ｍ２は、例えばバッファの形をとる。
【００５９】
結合手段ＣＢは、出力でデジタルサンプルの「結合された」シーケンスを基準シンボルレートＲＳで送り出すために、各タイムスロット中に記憶装置Ｍ２に記憶されたデジタルサンプルのＮ個の同一のシーケンスを同相で結合する役割を担う。
【００６０】
各位相を結合するために、結合手段ＣＢは、図７に示すように例えば推定モジュールＭＥＤと、補正モジュールＭＣＤと、合計モジュールＭＳとを含む。
【００６１】
推定モジュールＭＥＤは、Ｎ個の同一のシーケンスを検出してその相対位相差を推定するために、記憶手段Ｍ２の内容を一度読み取る役割を担う。読み取り周波数Ｆｒは、第４のサンプリング周波数Ｆｅ４に等しい（Ｆｒ＝Ｆｅ４）。第４のサンプリング周波数Ｆｅ４は、第１のサンプリング周波数Ｆｅ１と同じであるか、または第１のサンプリング周波数Ｆｅ１とは異なる可能性があることに注意することが重要である。
【００６２】
補正モジュールＭＣＤは、Ｎ個の同一の補正シーケンスを送り出すために、推定モジュールＭＥＤによって推定された各位相差を補正する役割を担う。
【００６３】
合計モジュールＭＳは、その出力で結合されたデジタルサンプルのシーケンスを送り出すために、補正モジュールＭＣＤによって位相差を補正されたＮ個の同一のシーケンスを合計する（または加算する）役割を担う。
【００６４】
図７および８に示す第１および第２の実施形態では、結合手段ＣＢの出力が第２の装置Ｄ２の出力を構成する。この出力は、復調器ＤＲのデジタル／アナログ変換モジュールＣＶ４に各タイムスロットで結合されたデジタルサンプルのシーケンスを供給する。
【００６５】
デジタル／アナログ変換モジュールＣＶ４は、各タイムスロットにおいて第４のサンプリング周波数Ｆｅ４で、受信されたデジタルサンプルの結合されたシーケンスに相当するアナログ出力信号を生成する役割を担う。
【００６６】
各アナログ信号は、データバーストに相当し、マルチキャリアスペクトルの場合、図９Ｂの下部に示す形であることがある。図のように、バーストに相当する各信号は、持続時間ＴＳ（ｔは時間を表す）のタイムスロットに位置付けられた持続時間Ｔｂのバーストの形をとる。
【００６７】
デジタル／アナログ変換モジュールＣＶ４の出力におけるパワースペクトル密度Ｄｏ’は、マルチキャリアスペクトルの場合、周波数ｆに応じて、図９Ｂの上部に示す。結合のため、パワースペクトル密度はＤｉ’のＮ倍に等しい（Ｄｏ’＝Ｎ＊Ｄｉ’）。これは、式ＢＷｏ’＝ＢＷｉ’／Ｎ＝（１＋α）＊ＲＳにより定められる帯域幅ＢＷｏ’を占める信号の形をとる。
【００６８】
図７および８に示すように、第２の装置（または逆拡散装置）Ｄ２はまた、そのアナログ／デジタル変換モジュールＣＶ３の上流側に（第１の）周波数変換モジュールＣＦ３を含むこともできる。
【００６９】
周波数変換モジュールＣＦ３は、受信した（処理される（または逆拡散される））各アナログ入力信号の最初の周波数Ｆ１を、アナログ／デジタル変換モジュールＣＶ３に供給する前に第２の周波数に変換する役割を担う。この第２の周波数は、例えばベースバンド周波数である。
【００７０】
この場合、復調器ＤＲは、デジタル／アナログ変換モジュールＣＶ４の下流に第２の周波数変換モジュールＣＦ４を含み、この第２の周波数変換モジュールＣＦ４は、デジタル／アナログ変換モジュールＣＶ４によって送られた各アナログ出力信号の第２の周波数を、復調器ＤＲのキャリア復調モジュールＭＤによって復調される前に最初の周波数Ｆ１に変換する役割を担う。
【００７１】
図１０に示すように、第２の装置Ｄ２は復調器ＤＲの一部であって、そのアナログ／デジタル変換モジュールＣＶ３を補完しながら、記憶手段Ｍ２と、結合手段ＣＢと、デジタル／アナログ変換モジュールＣＶ４と、適宜第２の周波数変換モジュールＣＦ４とを含むことができる。
【００７２】
以上、受信機Ｒの復調器ＤＲの一部を形成する第２の装置Ｄ２の実施形態を説明した。しかしながら、いくつかの変形が想定される場合がある。
【００７３】
したがって、図１１に示すように、第２の装置Ｄ２は、復調器ＤＲ（デジタル／アナログ変換モジュールＣＶ４と、キャリア復調モジュールＭＤと、適宜第２の周波数変換モジュールＣＦ４とを含む）の外部にあることもある。このとき第２の装置は、アナログ／デジタル変換モジュールＣＶ３と、記憶手段Ｍ２と、結合手段ＣＢと、適宜第１の周波数変換モジュールＣＦ３とを含む。このとき、結合手段ＣＢの出力は、復調器ＤＲに、より詳細には復調器のデジタル／アナログ変換モジュールＣＶ４の入力につながれる。
【００７４】
次に図１２を参照して、本発明による第２の装置（または逆拡散装置）Ｄ２の一実施形態を説明するが、これは図７から１１を参照して上述した実施形態の変形であり、少なくとも信号のいくつかについて、値が異なる繰り返し（またはコピー）の数Ｎｉに関連して様々なキャリアＰｉ（ｉ＝１からＫ）上でアナログ入力信号を処理する（逆拡散する）よう意図されている。
【００７５】
様々なキャリアＰｉを有する信号のこのような処理（逆拡散）を可能にするために、第２の実施形態は、第１に、図７から１１を参照して上述したタイプのアナログ／デジタル変換モジュールＣＶ３（および適宜、デジタル／アナログ変換のジュールＣＶ４と、第１の周波数変換モジュールＣＦ３（図示されているような）と、第２の周波数変換モジュールＣＦ４）を、第２に、記憶モジュールＭＭｉの形をとり、各々キャリアＰｉと関連してデジタルサンプルのＮｉ個のシーケンスを記憶するために設けられた記憶手段Ｍ２と、結合モジュールＭＣＢｉの形をとり、各々（キャリアＰｉと関連して）対応する記憶モジュールＭＭｉに記憶されたデジタルサンプルのＮｉ個のシーケンスを結合するために設けられた結合手段ＣＢとを、さらに第３に、逆多重化モジュールＤＭと多重化モジュールＭＲを含む。
【００７６】
逆多重化モジュールＤＭは、アナログ／デジタル変換モジュールＣＶ３とモジュール記憶手段Ｍ２（ＭＭｉ）との間に挿入される。これは、アナログ／デジタル変換モジュールＣＶ３によって多重化され送られてきたデジタルサンプルのシーケンスのＮｉ個の繰り返し（またはコピー）を、それぞれのキャリアＰｉに応じて逆多重化する役割を担う。言い換えれば、逆多重化モジュールＤＭは、それぞれＫ個のキャリアＰｉ（Ｐ１からＰＫ）と関連したＫ組のデジタルサンプルのＮｉ個の同一シーケンスをＫ個の出力で送り出す。
【００７７】
逆多重化モジュールＤＭの各出力は、記憶手段Ｍ２のＫ個の記憶モジュールＭＭｉ（ＭＭ１からＭＭＫ）のうちの１つの入力につながれる。したがって各記憶モジュールＭＭｉは、タイムスロット中に、割り当てられたキャリアＰｉに対応するＮｉ個の同一（逆多重化された）シーケンスを記憶することができる。
【００７８】
さらに、結合手段ＣＢの各結合モジュールＭＣＢｉは、割り当てられたキャリアＰｉに対応する記憶モジュールＭＭｉにつながれる。各結合モジュールＭＣＢｉは、上述したような構造を含む。ゆえに結合モジュールは好ましくは、推定モジュールＭＥＤｉと、補正モジュールＭＣＤｉと、合計モジュールＭＳｉとを含むが、図１２には示されていない。したがって、各結合モジュールＭＣＢｉは、結合されたデジタルサンプルのシーケンスを出力で送り出すために、（上述の方法により）各タイムスロット中に、つながれた記憶モジュールＭＭｉに記憶されているデジタルサンプルのＮｉ個の同一のシーケンスを同相で結合することができる。この結合は、関連する記憶モジュールＭＭｉに記憶されたデジタルサンプルのＮｉ個の同一のシーケンス間の相対位相差を推定すること、次に各推定された位相差を補正してＮｉ個の同一の補正シーケンスを送り出すこと、最後に結合されたデジタルサンプルのシーケンスを送り出すために、補正した位相差を有するＮｉ個の同一のシーケンスを合計（または加算）することにより行われる。
【００７９】
結合手段ＣＢの出力に、および復調器ＤＲのデジタル／アナログ変換モジュールＣＶ４の上流に、多重化モジュールＭＲがある。多重化モジュールは、デジタルサンプルの結合されたシーケンスを多重化してデジタル／アナログ変換モジュールＣＶ４に供給するために、様々なキャリアＰｉ（Ｐ１からＰＫ）に対応するＫ個の結合モジュールＭＣＢｉ（ＭＣＢ１からＭＣＢＫ）の出力により送り出されたデジタルサンプルの結合されたシーケンスを多重化する役割を担う。言い換えれば、多重化モジュールＭＲは、Ｋ個の入力で受信されるシーケンスから構成される多重信号を出力で送り出す。
【００８０】
次に、復調器ＤＲのデジタル／アナログ変換モジュールＣＶ４が、この多重信号をアナログ出力信号に変換し、このアナログ出力信号を、適宜第２の周波数変換器ＣＦ４により周波数変換した後に、復調のために設けられた復調器ＤＲの一部ＭＤに供給するようになっている。
【００８１】
図１２に示す実施形態では、第２の装置（または逆拡散装置）Ｄ２は、復調器ＤＲの外部にあって、これにつながれている。しかしながら、変形では、第２の装置が（図７および１０に示した実施形態の場合のように）復調器ＤＲの一部を形成することができる。
【００８２】
本発明による第１および第２の信号処理装置Ｄ１およびＤ２、詳細にはそのアナログ／デジタル変換モジュールおよびデジタル／アナログ変換モジュール、その結合手段、その記憶手段、適宜その多重化モジュールおよび逆多重化モジュール、さらに適宜その第１および第２の周波数変換モジュールは、電子回路または回路の組み合わせ、およびソフトウェア（またはデータ処理）モジュールの形態で製造されることが可能である。
【００８３】
本発明は、単なる例として上述した第１および第２の信号処理装置、通信端末、および復調器の実施形態に限定されず、添付の特許請求の範囲の範囲内で当業者が想定できるすべての変形を包含するものである。
【図面の簡単な説明】
【００８４】
【図１】本発明による第１の信号処理装置（または拡散装置）の第１の実施形態を備える無線通信端末の機能図である。
【図２Ａ】マルチキャリアスペクトルについて、第１（上図）に、周波数に応じて本発明により拡散する前のパワースペクトル密度を、第２（下図）に、連続的なタイムスロットにおいて本発明により拡散する前の伝送されるアナログ信号に相当する連続的なバーストを示す図である。
【図２Ｂ】マルチキャリアスペクトルについて、一方（上図）では、本発明により拡散した後の周波数に応じてパワースペクトル密度を、もう一方（下図）では、本発明により拡散した後の、連続的なタイムスロットで伝送されるアナログ信号に相当する連続的なバーストを示す図である。
【図３】本発明による第１の信号処理装置（または拡散装置）の第２の実施形態の機能図である。
【図４】本発明による第１の信号処理装置（または拡散装置）の第１の実施形態を含む変調器を備えた無線通信端末の機能図である。
【図５】本発明による第１の信号処理装置（または拡散装置）の第３の実施形態を含む変調器を備えた無線通信端末の機能図である。
【図６】本発明による、外部式の第１の信号処理装置（または拡散装置）の第４の実施形態に接続された変調器を備える無線通信端末の機能図である。
【図７】本発明による第２の信号処理装置（または逆拡散装置）の第１の実施形態を備えた無線受信機の機能図である。
【図８】本発明による第２の信号処理装置（または逆拡散装置）の第２の実施形態の機能図である。
【図９Ａ】マルチキャリアスペクトルについて、一方（上図）では、本発明により逆拡散する前の周波数に応じて受信したパワースペクトル密度を、もう一方（下図）では、本発明により逆拡散する前の、連続するタイムスロットでの受信アナログ信号に相当する連続的なバーストを示す図である。
【図９Ｂ】マルチキャリアスペクトルについて、一方（上図）では、本発明により逆拡散した後の周波数に応じて受信したパワースペクトル密度を、もう一方（下図）では、本発明により逆拡散した後の、連続的なタイムスロットで伝送されるアナログ信号に相当する連続的なバーストを示す図である。
【図１０】本発明による第２の信号処理装置（または逆拡散装置）の第３の実施形態を備えた無線受信機の機能図である。
【図１１】本発明による、外部式の第２の信号処理装置（または逆拡散装置）の第４の実施形態に接続された復調器を備えた無線受信機の機能図である。
【図１２】本発明による第２の信号処理装置（または逆拡散装置）の第５の実施形態を備えた無線受信機の機能図である。
【図１】
2009515394.tif 000003
【図２Ａ】
2009515394.tif 000004
【図２Ｂ】
2009515394.tif 000005
【図３】
2009515394.tif 000006
【図４】
2009515394.tif 000007
【図５】
2009515394.tif 000008
【図６】
2009515394.tif 000009
【図７】
2009515394.tif 000010
【図８】
2009515394.tif 000011
【図９Ａ】
2009515394.tif 000012
【図９Ｂ】
2009515394.tif 000013
【図１０】
2009515394.tif 000014
【図１１】
2009515394.tif 000015
【図１２】
2009515394.tif 000016
【国際調査報告】
2009515394.tif 000017
2009515394.tif 000018
2009515394.tif 000019
2009515394.tif 000020
2009515394.tif 000021
2009515394.tif 000022